(57)【要約】      （修正有）【課題】既存の家屋に取付け、床下空間への虫等の侵入を防止する隙間用変形防虫ネットを提供する。【解決手段】後付隙間用変形防虫ネット２０は、径方向に弾性変形可能な筒状を成し、弾性変形して隙間に設けられ、復元力により隙間を封止する防虫ネットである。弾性樹脂から成る糸により、網目が１６〜２４メッシュであって、外径が２０〜３０ミリメートルとなるように編組される。防虫ネット２０が設けられる隙間は、家屋１０における布基礎１１と布基礎１１から所定の間隔Ｈを空けて設けられた水切り材１２との間の隙間Ｈであって、その隙間Ｈに弾性変形して挿脱可能に構成される。また、長さは１〜１．５メートルであって、一端が他端に挿入可能に一端における外径が他端の内径より小さく形成される。【選択図】図１
0003162439.tif 000002
【実用新案登録請求の範囲】
【請求項１】
径方向に弾性変形可能な筒状を成し、弾性変形して隙間に設けられ、復元力により前記隙間を封止する防虫ネットにおいて、
弾性樹脂から成る糸(20a〜20d)により、網目が１６〜２４メッシュであって、外径が２０〜３０ミリメートルとなるように編組され、
前記隙間(H)が家屋(10)における布基礎(11)と前記布基礎(11)から所定の間隔を空けて設けられた水切り材(12)との間であって、前記隙間(H)に弾性変形して挿脱可能に構成された
ことを特徴とする後付隙間用変形防虫ネット。
【請求項２】
長さ(L)が１〜１．５メートルであって、一端(21)が他端(22)に挿入可能に前記一端(21)における外径が前記他端(22)の内径より小さく形成された請求項１記載の後付隙間用変形防虫ネット。
【考案の詳細な説明】
【技術分野】
【０００１】
本考案は、床下空間への通気を確保しつつ虫等の侵入を防止するために用いられる防虫ネットに関する。更に詳しくは、基礎パッキンを用いた通気用の隙間を有する既存の家屋に後から取付けることのできる後付隙間用変形防虫ネットに関するものである。
【背景技術】
【０００２】
一般に、家屋は、床下空間に湿気を滞留させないようにするために、図６に示すように、布基礎３と土台５との間に長手方向に所定の間隔を空けて基礎パッキン６を挟み込み、それにより布基礎３と土台５との間に通気用の隙間４を生じさせ、その隙間４により通気を確保することが行われている。一方、このような通気用の隙間４を設けると、その通気用の隙間４を介して床下空間２に様々な虫等が入り込むおそれがあるので、これを防止する必要がある。このような虫等の侵入を防止するために、復元力を有し径方向に弾性変形可能な筒状の網部材７を、土台５の軸方向に沿って配置する通気防虫構造が提案されている（例えば、特許文献１参照。)。
【０００３】
この通気防虫構造では、基礎パッキン６の厚さより直径が大きい網部材７を土台５と布基礎３の間に挟み込み、その土台５によってその網部材７を布基礎３に押し付け、これにより布基礎３と土台５との間に網部材７を設けている。このように筒状の網部材７を布基礎３に押し付けることで、その網部材７は径方向に弾性変形し、網部材７に網部材７の径方向に復元力が発生して、布基礎３の上面及び土台５の下面に押え付けられることとなる。これにより、通気用の隙間４を網部材７により確実に塞ぎ、その隙間から虫等が入り込むことを防止できるとしている。
【先行技術文献】
【特許文献】
【０００４】
【特許文献１】特開２００５−２３２８１３号公報（段落番号「００５７」，「００５８」及び図１０（ｂ））
【考案の概要】
【考案が解決しようとする課題】
【０００５】
しかし、基礎パッキン６を挟み込んで布基礎３と土台５との間に通気用の隙間４を生じさせた家屋にあっては、その通気用の隙間４に雨水が浸入しないように、その通気用の隙間４を後に図示しない水切り材で外側から覆うようなことが行われる。このため、上記通気防虫構造における網部材７の挟み込みは、家屋の施工段階に限られ、既に施工が完了している既存の家屋には適用できない不具合があった。よって、例えば、家屋の施工当時に、布基礎３と土台５との間に網部材７を挟み込んだとしても、その後、その網部材７が例えばネズミ等によりかじられ、又は腐食によりその網部材７が破損しても、その網部材７自体を後に交換するようなことはできないという不具合があった。そして、施工後に網部材７が破損したとしたならば、その破損した箇所からの虫等の侵入を回避することができないという問題を生じさせる。
【０００６】
また、上記通気防虫構造では、網部材７を土台５と布基礎３との間に挟み込むけれども、一般的に土台５は断面が正方形であってその一辺が少なくとも１０．５センチメートルの木材が使用され、基礎パッキン６を介してその土台５を支持する布基礎３の幅は１２センチメートル以上に作られる。そして、一般的な基礎パッキン６の厚さは２センチメートルであるので、土台５と布基礎３の間に幅方向に空気が流れる通気用の隙間４をその網部材７により塞ぐ必要から、上記通気防虫構造において用いられる筒状の網部材７としては直径が５センチメートル程度必要と考えられる。そして、布基礎３と土台５との間には所定の間隔を空けて複数の基礎パッキン６が挟み込まれているため、施工に際して、比較的長尺の網部材７を切断して、基礎パッキン６と基礎パッキン６の間の間隔に網部材７の長さを合致させる必要があり、その長さの調整作業が比較的煩雑である不具合があった。仮に、その長さの調整作業が適切に行われずに、網部材７の長さが基礎パッキン６と基礎パッキン６の間の間隔を越えた場合には、その網部材７の配置作業に支障を来し、網部材７の長さが足りない場合には、基礎パッキン６と基礎パッキン６の間の全ての隙間を塞ぐことができずに、その網部材７により塞がれない部分から虫等が入り込む不具合が考えられる。
【０００７】
本考案の目的は、既存の家屋に取付けることが可能であってその既存の家屋の床下空間への虫等の侵入を防止し得る後付隙間用変形防虫ネットを提供することにある。
【０００８】
本考案の別の目的は、長さの調整が容易な後付隙間用変形防虫ネットを提供することにある。
【課題を解決するための手段】
【０００９】
本考案は、径方向に弾性変形可能な筒状を成し、弾性変形して隙間に設けられ、復元力により隙間を封止する防虫ネットの改良である。
【００１０】
その特徴ある構成は、弾性樹脂から成る糸により、網目が１６〜２４メッシュであって、外径が２０〜３０ミリメートルとなるように編組され、隙間が家屋における布基礎と布基礎から所定の間隔を空けて設けられた水切り材との間であって、その隙間に弾性変形して挿脱可能に構成されたところにある。
【００１１】
また、長さが１〜１．５メートルであって、一端が他端に挿入可能に一端における外径を他端の内径より小さく形成することが好ましい。
【考案の効果】
【００１２】
本考案の後付隙間用変形防虫ネットは、家屋における布基礎と布基礎から所定の間隔を空けて設けられた水切り材との間に設けるものである。その水切り材の下方は空気の取り入れ及び排出の必要から開放されているので、この開放された部分から本考案の後付隙間用変形防虫ネットを挿入し、及び既に挿入されている場合にはその既に挿入されている古い防虫ネットを布基礎と水切り材との間の隙間から取り出して新たな防虫ネットを挿入することができる。そして、布基礎と水切り材との間の隙間は土台と布基礎との間の通気用の隙間に連通するので、この布基礎と水切り材との間の隙間を本考案の後付隙間用変形防虫ネットにより封止することにより、通気用の隙間を介して床下空間に虫等が侵入することを防止することができる。よって、既存の家屋であっても、床下空間への虫等の侵入を後発的に防止することができる。
【００１３】
また、本考案の後付隙間用変形防虫ネットは径方向に弾性変形可能な筒状を成すものであるけれども、一端における外径を他端の内径より小さく形成すれば、本考案の後付隙間用変形防虫ネットを複数用いる場合に、一の防虫ネットの一端を他の防虫ネットの他端に挿入することによりその複数の後付隙間用変形防虫ネットを容易に連結することができる。そして、その挿入深さを変更することにより連結された複数の後付隙間用変形防虫ネットにおける全長を容易に変更することができ、その全長の調整が容易であることからその施工を比較的容易に行うことが可能となる。
【図面の簡単な説明】
【００１４】
【図１】本実施形態の後付隙間用変形防虫ネットが布基礎と水切り材の間に設けられた家屋の断面図である。
【図２】その後付隙間用変形防虫ネットの斜視図である。
【図３】別の後付隙間用変形防虫ネットの斜視図である。
【図４】その別の後付隙間用変形防虫ネットの製作工程を示す断面図である。
【図５】その後付隙間用変形防虫ネットが連結されて布基礎と水切り材の間に挿入される状態を示す正面図である。
【図６】従来の通気防虫構造を示す斜視図である。
【考案を実施するための形態】
【００１５】
次に本考案を実施するための最良の形態を図面に基づいて説明する。
【００１６】
図１に示すように、本考案に係る後付隙間用変形防虫ネット２０は、弾性変形して隙間に設けられ、その復元力により隙間を封止するものであるけれども、その隙間は、家屋１０における布基礎１１とその布基礎１１から所定の間隔を空けて設けられた水切り材１２との間の隙間Ｈである。ここで、その家屋１０は、基礎パッキン１３を用いた通気用の隙間１４を有する既存のものであって、基礎パッキン１３は布基礎１１と土台１６との間にその長手方向に所定の間隔を空けて複数挟まれる。この複数の基礎パッキン１３により布基礎１１と土台１６との間に床下通気用の隙間１４が形成され、土台１６上には根太１７の端部が横架される。そして、この根太１７の上面に図示しない床材が張り渡され、その床材と土台１６と布基礎１１とで包囲される部分に床下空間１８が形成される。ここで、図１おける符号１９は、根太１７に立設された柱１９を示す。
【００１７】
水切り材１２は、外部と床下空間１８とを連通させる床下通気用の隙間１４が形成された布基礎１１の周囲に、床下通気用の隙間１４を覆ってその床下通気用の隙間１４への雨水の侵入を防止するために取付けられる。この水切り材１２は、土台１６やその土台１６に設けられる外装材１０ａに取付けられる取付部１２ａと、その取付部１２ａの下端に基端が連続して設けられ取付部１２ａから水平方向に離れるほど下方に向かうように傾斜する傾斜部１２ｂと、その傾斜部１２ｂの突出端に上端が連続する前垂れ部１２ｃとを有する。そして、外装材１０ａの表面を伝って落下する雨水を傾斜部１２ｂにより床下通気用の隙間１４から離間する方向に案内し、その後前垂れ部１２ｃから地上に落下させるようにして、床下通気用の隙間１４への雨水の侵入を防止するように構成される。
【００１８】
前垂れ部１２ｃは布基礎１１と所定の間隔を空けて設けられるので、この水切り材１２と布基礎１１との間に形成される隙間Ｈは床下通気用の隙間１４に連通する隙間となり、床下空間１８に湿気を滞留させないために流通する空気は、この水切り材１２と布基礎１１との間の隙間Ｈ及び床下通気用の隙間１４を介して外部と床下空間１８との間で流通することになる。そして、本考案に係る後付隙間用変形防虫ネット２０は、布基礎１１とその布基礎１１から所定の間隔を空けて設けられた水切り材１２との間の隙間Ｈに弾性変形して挿脱可能に構成される。
【００１９】
図１〜図３に示すように、本考案に係る後付隙間用変形防虫ネット２０は、径方向に弾性変形可能な筒状を成す。弾性変形を可能にするため、弾性樹脂から成る糸により編組されたいわゆる樹脂から成る網であることが要件とされる。金属から成る糸を偏組した金網であると、弾性変形する量が小さく、弾性限度を超えて塑性変形してしまうと、その変形した箇所において隙間を封止することが困難になるからである。ここで、糸を構成する弾性樹脂としては、例えば、ポリエチレン、ポリエステル、ポリアミド、ポリプロピレン等が挙げられる。
【００２０】
本考案に係る後付隙間用変形防虫ネット２０は、筒状であれば、図２に示すように、互いに方向が異なる螺旋状の糸２０ａ，２０ｂを所望のメッシュを形成するように交互に編むことにより得られた筒状物であっても良く、図３に示すように、長手方向に比較的真っ直ぐに伸びる縦糸２０ｃと、周方向に伸びる螺旋状又は円環状の横糸２０ｄを所望のメッシュを形成するように織り、或いは編み合わせることにより得られた筒状物であっても良い。また、縦糸２０ｃと横糸２０ｄから成る図３に示す防虫ネット２０であれば、比較的真っ直ぐに伸びる縦糸２０ｃと横糸２０ｄを有する図４（ａ）に示す方形状の網板を矢印で示すように丸め、図４（ｂ）に示すように筒状を成すように丸められ重合する両端縁を溶着治具３０ａ，３０ｂにより挟み、その治具３０ａ，３０ｂによりその重合する両端縁を溶着して筒状にした防虫ネット２０であっても良い。
【００２１】
本考案に係る後付隙間用変形防虫ネット２０は、網目が１６〜２４メッシュであること、即ち、１インチ（２５．４ミリメートル）あたりの目の数が１６〜２４であることを要件とする。網目が１６〜２４メッシュであることを要件とするのは、この防虫ネット２０は通気を確保しつつ虫が進入することを防止するためのものだからである。網目が１６メッシュより小さいと虫の通過を許容するおそれがあり、２４メッシュを越えると通気性が阻害されるおそれがある。ここで、好ましい網目は１８〜２０メッシュである。
【００２２】
また、本考案に係る後付隙間用変形防虫ネット２０は、外径が２０〜３０ミリメートルとなるように編組されることを要件とする。布基礎１１と水切り材１２における前垂れ部１２ｃとの隙間Ｈ（図１）は、一般的な水切り材１２では、１５〜２０センチメートルぐらいである。本考案に係る後付隙間用変形防虫ネット２０は、その隙間Ｈに弾性変形して挿入可能であって、かつその復元力によりその隙間Ｈを封止することを必要とする。このため、図６に示す従来の通気構造で比較的幅の広い布基礎３の上に直接設けられる網部材７より小径であることが要件となり、その外径を２０〜３０ミリメートルの範囲のものに限定するものである。
【００２３】
即ち、外径が２０〜３０ミリメートルであることを要件とするのは、本考案に係る後付隙間用変形防虫ネット２０は、１５〜２０センチメートルである布基礎１１と水切り材１２との間の隙間Ｈに弾性変形して挿入され、その復元力によりその隙間Ｈを封止するものであるからである。外径が２０ミリメートルを越えると、布基礎１１と水切り材１２との隙間Ｈに挿入する作業が困難になり、例え挿入されてもその隙間Ｈから防虫ネット２０がはみ出て外観上の見栄えを悪化させるおそれがあるからである。また、外径が１５ミリメートル未満であると、弾性変形する量が減少し、その隙間Ｈに挿入されても、その隙間Ｈの全てを封止することが困難になり、例え封止したとしてもその復元力によりその隙間Ｈに本考案に係る後付隙間用変形防虫ネット２０が留まることが困難になるからである。
【００２４】
更に、本考案に係る後付隙間用変形防虫ネット２０は、図５に示すように、その長さＬが１〜１．５メートルであって、一端２１が他端２２に挿入可能なように、外径が２０〜３０ミリメートルの範囲内において、その一端２１における外径が他端２２の内径より小さく形成される。長さＬが１〜１．５メートルであることを要件とするのは、取り扱いを容易にするためであり、一端２１が他端２２に挿入可能にするのは、隙間なく接続してこの防虫ネット２０の延長を可能にするためである。長さＬが１メートル未満であると、施工箇所に対してこの防虫ネット２０を接続して延長する作業が増加し、長さＬが１．５メートルを超えると、その取り扱いに困難が生じる。また、図４に示すように、方形状の樹脂網を丸めて本発明の防虫ネット２０を作成する場合には、その方形状の樹脂網の標準的な幅が１〜１．５メートルから成るものが多いことから、これを丸めて本考案に係る後付隙間用変形防虫ネット２０を得る場合に、得られた防虫ネット２０の長さＬは必然的に１〜１．５メートルの範囲になるからである。
【００２５】
このように構成された本考案に係る後付隙間用変形防虫ネット２０は、既存の家屋に比較的容易に取付けることができる。即ち、この後付隙間用変形防虫ネット２０の取付けにあっては、家屋１０における布基礎１１と布基礎１１から所定の間隔を空けて設けられた水切り材１２との間の隙間Ｈ、具体的には水切り材１２の前垂れ部１２ｃと布基礎１１との間の隙間Ｈに、本考案に係る後付隙間用変形防虫ネット２０を径方向に圧縮して弾性変形させ、その状態で挿入するだけで足りる。そして、挿入後、その圧縮を解除して後付隙間用変形防虫ネット２０を復元させれば、その復元力により布基礎１１と水切り材１２との間の隙間Ｈを封止することができる。ここで、本考案の後付隙間用変形防虫ネット２０は通気を確保しつつ虫が通過しない１６〜２４メッシュの網目を有し、それが封止する布基礎１１と水切り材１２との間の隙間Ｈは土台１６と布基礎１１との間の通気用の隙間１４に連通する。このため、この布基礎１１と水切り材１２との間の隙間Ｈを本考案の後付隙間用変形防虫ネット２０により封止することにより、通気用の隙間１４を介して床下空間１８に虫等が侵入することを防止することができる。よって、既存の家屋１０であっても、床下空間１８への虫等の侵入を後発的に防止することができる。
【００２６】
また、水切り材１２は、通気用の隙間１４が形成された家屋１０の周囲に無端で設けられるものであるので、虫等の進入を確実に防止するためには、その水切り材１２の全てに本考案に係る後付隙間用変形防虫ネット２０を連続的に設ける必要がある。このためには、本考案に係る後付隙間用変形防虫ネット２０を、その長さＬの和が水切り材１２の全長に達するように複数準備し、それらを順次連結する必要がある。ここで、本考案に係る後付隙間用変形防虫ネット２０は、一端２１が他端２２に挿入可能なように一端２１における外径を他端２２の内径より小さく形成している。このため、図５の実線矢印で示すように、一の防虫ネット２０における一端２１を他の防虫ネット２０の他端２２に挿入させることにより、その複数の防虫ネット２０を順次連結してそれらの全長Ａを比較的容易に延長することができる。また、その挿入深さを変更すれば連結された複数の後付隙間用変形防虫ネット２０における全長Ａを容易に調整することができ。そして、このように連結してその全長Ａが延長された防虫ネット２０を布基礎１１と水切り材１２との間の隙間Ｈに順次挿入する。これにより通気用の隙間１４に連通する布基礎１１と水切り材１２との間の隙間Ｈの全てを本考案の後付隙間用変形防虫ネット２０により隙間なく無端で封止することができる。
【００２７】
また、この防虫ネット２０は樹脂から成るものであるので、経時変化により劣化が進行して破損したり、ネズミ等にかじられて破損したりすることもあり得るけれども、この防虫ネット２０は後から挿脱可能な布基礎１１と水切り材１２との間の隙間Ｈに設けるものであるので、その防虫ネット２０が破損したとしても、その防虫ネット２０をその隙間Ｈから容易に取り出すことができる。このため、破損した防虫ネット２０を取り出して新たな防虫ネット２０を挿入して、その隙間Ｈを封止することによりその防虫ネット２０を容易に交換することができ、家屋１０の施工後に防虫ネット２０の破損が生じたとしても、その防虫ネット２０を交換することにより虫等の進入を再び回避し得るという効果も生じさせる。
【符号の説明】
【００２８】
１０  家屋
１１  布基礎
１２  水切り材
２０  後付隙間用変形防虫ネット
２０ａ〜２０ｄ  弾性樹脂から成る糸
２１  一端
２２  他端
Ｈ  布基礎と水切り材との間の隙間
Ｌ  長さ
【図１】
0003162439.tif 000003
【図２】
0003162439.tif 000004
【図３】
0003162439.tif 000005
【図４】
0003162439.tif 000006
【図５】
0003162439.tif 000007
【図６】
0003162439.tif 000008